(57)【要約】【課題】筆記時に摩擦体が汚れることを回避でき、また、机上に安定して置くことができ、しかも、ペンケース等に収容する必要がない熱変色性筆記具を提供する。【解決手段】筆記具本体２の内部に熱変色性インキを収容する。筆記具本体２の前端に、熱変色性インキが吐出可能なペン先を設ける。筆記具本体２の外面に、熱変色性インキの筆跡を摩擦しその際に生じる摩擦熱で該筆跡が熱変色可能な弾性材料からなる摩擦体３を着脱自在に設ける。摩擦体３が、前後方向に貫通する取付孔３２を備える。摩擦体３の取付孔３２の内面に筆記具本体２の後部外面が嵌合させる。【選択図】  図１
2011230448.tif 000002
【特許請求の範囲】
【請求項１】
筆記具本体の内部に熱変色性インキを収容し、前記筆記具本体の前端に、熱変色性インキが吐出可能なペン先を設け、前記筆記具本体の外面に、熱変色性インキの筆跡を摩擦しその際に生じる摩擦熱で該筆跡が熱変色可能な弾性材料からなる摩擦体を着脱自在に設けた熱変色性筆記具であって、
前記摩擦体が、前後方向に貫通する取付孔を備え、前記摩擦体の取付孔の内面を筆記具本体の後部外面に嵌合させたことを特徴とする熱変色性筆記具。
【請求項２】
前記摩擦体の外面に転がり防止用の凸部を設けた請求項１記載の熱変色性筆記具。
【請求項３】
前記摩擦体の外面に他の摩擦体の外面の連結部と互いに連結可能な連結部を設けた請求項１または２記載の熱変色性筆記具。
【発明の詳細な説明】
【技術分野】
【０００１】
本発明は、熱変色性筆記具に関する。
【背景技術】
【０００２】
特許文献１には、筆記具本体の内部に熱変色性インキを収容し、前記筆記具本体の前端に、熱変色性インキが吐出可能なペン先を設け、前記筆記具本体の外面に、熱変色性インキの筆跡を摩擦しその際に生じる摩擦熱で該筆跡が熱変色可能な摩擦部を設けた熱変色性筆記具であって、筆記具本体の前部外面に弾性部材を設け、前記弾性部材が、筆記時には手指等で把持可能な把持部となり、熱変色性インキの筆跡を摩擦する際には把持部及び摩擦部となることを特徴とする熱変色性筆記具が記載されている。
【先行技術文献】
【特許文献】
【０００３】
【特許文献１】特開２００９−２０８３１号公報
【発明の概要】
【発明が解決しようとする課題】
【０００４】
前記従来の熱変色性筆記具は、摩擦部が手指で把持可能な把持部を兼ねるため、筆記時の把持によって摩擦部の表面が汚れ、前記汚れた摩擦部で被筆記面（例えば紙面）を摩擦すると被筆記面が汚れるおそれがある。また、前記従来の熱変色性筆記具は、筆記具本体が机上を転がりやすく、安定して机上に置くことが困難である。また、前記従来の熱変色性筆記具は、複数の筆記具本体を携帯する場合、ペンケース等に収容する必要があり、ペンケースが嵩張り不便である。
【０００５】
本発明は、前記従来の問題点を解決するものであって、筆記時に摩擦体が汚れることを回避でき、また、机上に安定して置くことができ、しかも、ペンケース等に収容する必要がない熱変色性筆記具を提供しようとするものである。
【課題を解決するための手段】
【０００６】
［１］本願の第１の発明は、筆記具本体２の内部に熱変色性インキを収容し、前記筆記具本体２の前端に、熱変色性インキが吐出可能なペン先を設け、前記筆記具本体２の外面に、熱変色性インキの筆跡を摩擦しその際に生じる摩擦熱で該筆跡が熱変色可能な弾性材料からなる摩擦体３を着脱自在に設けた熱変色性筆記具であって、前記摩擦体３が、前後方向に貫通する取付孔３２を備え、前記摩擦体３の取付孔３２の内面を筆記具本体２の後部外面に嵌合させたことを要件とする。
【０００７】
前記第１の発明の熱変色性筆記具１は、前記摩擦体３が、前後方向に貫通する取付孔３２を備え、前記摩擦体３の取付孔３２の内面を筆記具本体２の後部外面に着脱自在に嵌合させたことにより、筆記時に摩擦体３が汚れることを回避できる。
【０００８】
［２］本願の第２の発明は、前記第１の熱変色性筆記具１において、前記摩擦体３の外面に転がり防止用の凸部３３を設けたことを要件とする。
【０００９】
前記第２の発明の熱変色性筆記具１は、前記摩擦体３の外面に転がり防止用の凸部３３を設けたことにより、摩擦体３が取り付けられた状態の筆記具本体２を机上に安定して置くことができる。
【００１０】
［３］本願の第３の発明は、前記第１または第２の熱変色性筆記具１において、前記摩擦体３の外面に他の摩擦体３の外面の連結部と互いに連結可能な連結部３４・３５（例えば連結凸部３４及び連結凹部３５）を設けたことを要件とする。
【００１１】
前記第３の発明の熱変色性筆記具１は、摩擦体３の外面に他の摩擦体３の外面の連結部と互いに連結可能な連結部３４・３５（例えば連結凸部３４及び連結凹部３５）を設けたことにより、複数の筆記具本体２を備え、各々の筆記具本体２の後部外面に摩擦体３を取り付けた場合、一つの摩擦体３の連結部３４（例えば連結凸部３４）が、他の摩擦体３の連結部３５（例えば連結凹部３５）に係合固定され、筆記具本体２の相互間が連結される。それにより、複数の筆記具本体２をペンケース等に収容することが不要となり、携帯に便利となる。
【００１２】
・熱変色性インキ
前記熱変色性インキは、可逆熱変色性インキが好ましい。前記可逆熱変色性インキは、発色状態から加熱により消色する加熱消色型、発色状態または消色状態を互変的に特定温度域で記憶保持する色彩記憶保持型、または、消色状態から加熱により発色し、発色状態からの冷却により消色状態に復する加熱発色型等、種々のタイプを単独または併用して構成することができる。
【００１３】
また、前記可逆熱変色性インキに含有される色材は、従来より公知の（イ）電子供与性呈色性有機化合物、（ロ）電子受容性化合物、及び（ハ）前記両者の呈色反応の生起温度を決める反応媒体、の必須三成分を少なくとも含む可逆熱変色性組成物をマイクロカプセル中に内包させた可逆熱変色性顔料が好適に用いられる。
【００１４】
本実施の形態では、図７に示すように、温度変化による着色濃度の変化をプロットした曲線の形状が、温度を変色温度域より低温側から上昇させていく場合と逆に変色温度域より高温側から下降させていく場合とで異なる経路を辿って変色し、完全発色温度（ｔ１）以下の低温域での発色状態、または完全消色温度（ｔ４）以上の高温域での消色状態が、特定温度域〔ｔ２〜ｔ３の間の温度域（実質的二相保持温度域）〕で記憶保持できる色彩記憶保持型熱変色性インキが適用される。図７において、ΔＨは、ヒステリシスの程度を示す温度幅（即ちヒステリシス幅）を示す。ΔＨの値が小さいと、変色前後の両状態のうち一方の状態しか存在しえない。ΔＨの値が大きいと、変色前後の各状態の保持が容易となる。
【００１５】
本実施の形態では、摩擦体３の摩擦熱による前記熱変色性インキの変色温度は、２５℃〜９５℃（好ましくは３６℃〜９５℃）に設定される。即ち、本発明では、前記高温側変色点〔完全消色温度（ｔ４）〕を、２５℃〜９５℃（好ましくは、３６℃〜９０℃）の範囲に設定し、前記低温側変色点〔完全発色温度（ｔ１）〕を、−３０℃〜＋２０℃（好ましくは、−３０℃〜＋１０℃）の範囲に設定することが有効である。それにより、常態（日常の生活温度域）で呈する色彩の保持を有効に機能させることができるとともに、可逆熱変色性インキによる筆跡を摩擦体３による摩擦熱で容易に変色することができる。
【００１６】
・摩擦体
尚、本発明で、摩擦体３は、弾性を有する樹脂（ゴム、エラストマー）により構成されることが好ましい。前記弾性を有する樹脂は、例えば、シリコーン樹脂、ＳＢＳ樹脂（スチレン−ブタジエン−スチレン共重合体）、ＳＥＢＳ樹脂（スチレン−エチレン−ブタジエン−スチレン共重合体）、フッ素系樹脂、クロロプレン樹脂、ニトリル樹脂、ポリエステル系樹脂、エチレンプロピレンジエンゴム（ＥＰＤＭ）等が挙げられる。前記摩擦体３を構成する弾性材料は、高摩耗性の弾性材料（例えば、消しゴム等）からなるものよりも、摩擦時に磨耗屑が生じない低摩耗性の弾性材料からなることが好ましい。
【発明の効果】
【００１７】
本発明の熱変色性筆記具は、筆記時に摩擦体が汚れることを回避できる。
【図面の簡単な説明】
【００１８】
【図１】本発明の第１の実施の形態の側面図である。
【図２】（ａ）が（ｂ）のＡ−Ａ線断面図であり、（ｂ）が図１の摩擦体の側面図である。
【図３】図１の筆記具本体の複数本を連結した状態を示す平面図である。
【図４】本発明の第２の実施の形態の側面図である。
【図５】（ａ）が（ｂ）のＢ−Ｂ線断面図であり、（ｂ）が図４の摩擦体の側面図である。
【図６】図４の筆記具本体の複数本を連結した状態を示す平面図である。
【図７】熱変色性インキの変色挙動を示す説明図である。
【発明を実施するための形態】
【００１９】
＜第１の実施の形態＞
本発明の第１の実施の形態を図１乃至図３に示す。
本実施の形態の熱変色性筆記具１は、筆記具本体２と、該筆記具本体２の後部外面に着脱自在に取り付けられる摩擦体３とからなる。
【００２０】
前記筆記具本体２は、後端のノック部２１を前方に押圧操作することによってペン先が出没する出没式筆記具である。
【００２１】
前記摩擦体３は弾性材料から一体に形成される。前記摩擦体３は、筒状部３１と、転がり防止用の凸部３３（クリップ）とが一体に連設される。
【００２２】
前記筒状部３１には、前後方向に取付孔３２が貫設される。また、前記筒状部３１には、前後方向にスリット３６が貫設され、それにより、筒状部３１の弾性変形を容易にし、筆記具本体２との容易な着脱を可能にする。
【００２３】
前記筒状部３１の外面には、連結凸部３４及び連結凹部３５が形成される。前記連結凸部３４は、他の摩擦体３の連結凹部３５が係合可能であり、前記連結凹部３５は、他の摩擦体３の連結凸部３４が係合可能である。連結凸部３４及び前記連結凹部３５は、軸心に対して対称位置に設けられる。それにより、複数の筆記具本体２を、摩擦体３を介して横一列に連結することができる。（図３参照）
【００２４】
前記転がり防止用の凸部３３は、クリップを兼ねる。筆記具本体２に摩擦体３を取り付けた際、前記クリップと筆記具本体２の後部外面とにより、ポケット等の被挟持物を挟持可能である。
【００２５】
本実施の形態の熱変色性筆記具１は、前記摩擦体３が、前後方向に貫通する取付孔３２を備え、前記摩擦体３の取付孔３２の内面を筆記具本体２の後部外面に着脱自在に嵌合させたことにより、筆記時に摩擦体３が汚れることを回避できる。
【００２６】
本実施の形態の熱変色性筆記具１は、前記摩擦体３の外面に転がり防止用の凸部３３を設けたことにより、摩擦体３が取り付けられた状態の筆記具本体２を机上に安定して置くことができる。
【００２７】
本実施の形態の熱変色性筆記具１は、摩擦体３の外面に連結凸部３４及び連結凹部３５を設けたことにより、複数の筆記具本体２を備え、各々の筆記具本体２の後部外面に摩擦体３を取り付けた場合、一つの摩擦体３の連結凸部３４が、他の摩擦体３の連結凹部３５に係合固定され、筆記具本体２の相互間が連結される。それにより、複数の筆記具本体２をペンケース等に収容することが不要となり、携帯に便利となる。
【００２８】
＜第２の実施の形態＞
本発明の第２の実施の形態を図４乃至図６に示す。
本実施の形態の熱変色性筆記具１は、筆記具本体２と、該筆記具本体２の後部外面に着脱自在に取り付けられる摩擦体３とからなる。
【００２９】
前記筆記具本体２は、後端のノック部２１を前方に押圧操作することによってペン先が出没する出没式筆記具である。
【００３０】
前記摩擦体３は弾性材料から一体に形成される。前記摩擦体３は、筒状部３１と、転がり防止用の凸部３３とが一体に連設される。
【００３１】
前記筒状部３１には、前後方向に取付孔３２が貫設される。また、前記筒状部３１には、前後方向にスリット３６が貫設され、それにより、筒状部３１の弾性変形を容易にし、筆記具本体２との容易な着脱を可能にする。
【００３２】
前記筒状部３１の外面には、連結凸部３４及び連結凹部３５が形成される。前記連結凸部３４は、他の摩擦体３の連結凹部３５が係合可能であり、前記連結凹部３５は、他の摩擦体３の連結凸部３４が係合可能である。連結凸部３４及び前記連結凹部３５は、軸心に対して対称位置に設けられる。それにより、複数の筆記具本体２を、摩擦体３を介して横一列に連結することができる。（図６参照）
【００３３】
本実施の形態の熱変色性筆記具１は、前記摩擦体３が、前後方向に貫通する取付孔３２を備え、前記摩擦体３の取付孔３２の内面を筆記具本体２の後部外面に着脱自在に嵌合させたことにより、筆記時に摩擦体３が汚れることを回避できる。
【００３４】
本実施の形態の熱変色性筆記具１は、前記摩擦体３の外面に転がり防止用の凸部３３を設けたことにより、摩擦体３が取り付けられた筆記具本体２を机上に安定して置くことができる。
【００３５】
本実施の形態の熱変色性筆記具１は、摩擦体３の外面に連結凸部３４及び連結凹部３５を設けたことにより、複数の筆記具本体２を備え、各々の筆記具本体２の後部外面に摩擦体３を取り付けた場合、一つの摩擦体３の連結凸部３４が、他の摩擦体３の連結凹部３５に係合固定され、筆記具本体２の相互間が連結される。それにより、複数の筆記具本体２をペンケース等に収容することが不要となり、携帯に便利となる。
【符号の説明】
【００３６】
１  熱変色性筆記具
２  筆記具本体
２１  ノック部
３  摩擦体
３１  筒状部
３２  取付孔
３３  凸部
３４  連結凸部
３５  連結凹部
３６  スリット
【図１】
2011230448.tif 000003
【図２】
2011230448.tif 000004
【図３】
2011230448.tif 000005
【図４】
2011230448.tif 000006
【図５】
2011230448.tif 000007
【図６】
2011230448.tif 000008
【図７】
2011230448.tif 000009